(57)【要約】【課題】受像機に接続された他の受信装置で受信するチャンネルのデジタル放送についても、受像機で手軽にチャンネルを切り替えて視聴することができる放送受信システム及び受像機を提供する。【解決手段】受像機１に録画装置等の受信装置２が接続されたデジタル放送の放送受信システムで、受像機１は、各機器でデジタル放送の視聴制限を解除できるチャンネルを示す情報を記録しておき、チャンネルが指定された際に、受像機１で視聴制限を解除できるチャンネルの場合は、そのチャンネルのデジタル放送を受信し、受信装置２で視聴制限を解除できるチャンネルの場合は、自動的に外部入力の状態となり、受信装置２にそのチャンネルを選局させる。視聴者は、特定チャンネルを指定する操作を行うだけで手軽に特定チャンネルでのデジタル放送の視聴が可能となる。【選択図】図１
2008227630.tif 000002
【特許請求の範囲】
【請求項１】
夫々にデジタル放送の受信が可能な受像機及び受信装置を含み、
前記受像機及び前記受信装置は、デジタル放送に施された視聴制限を解除するための情報を予め定められたチャンネルについて記録した記録媒体を夫々に装着される放送受信システムにおいて、
前記受像機は、
装着されている前記記録媒体に記録された情報を用いて視聴制限を解除できるチャンネル、及び前記受信装置に装着されている前記記録媒体に記録された情報を用いて前記受信装置が視聴制限を解除できるチャンネルを示す情報を記録する記録手段と、
受信すべきデジタル放送のチャンネルを指定する指示を受け付ける受付手段と、
該受付手段が受け付けた指示で指定されたチャンネルが前記受像機又は前記受信装置で視聴制限を解除できるチャンネルであるかを、前記記録手段で記録した情報に基づいて判定する手段と、
前記指示で指定されたチャンネルが前記受像機で視聴制限を解除できるチャンネルである場合に、前記指示で指定されたチャンネルでのデジタル放送を受信する手段と、
前記指示で指定されたチャンネルが前記受信装置で視聴制限を解除できるチャンネルである場合に、前記指示で指定されたチャンネルでのデジタル放送の受信の指示を前記受信装置へ送信する手段とを備え、
前記受信装置は、
前記受像機から受信した前記指示に従って、前記チャンネルでのデジタル放送を受信する手段と、
装着されている前記記録媒体に記録された情報を用いて、受信したデジタル放送の視聴制限を解除する手段と、
視聴制限を解除した前記デジタル放送のデータを前記受像機へ送信する手段とを備え、
前記受像機は、更に、
前記受信装置から受信した前記データに基づいた映像を出力する手段を備えること
を特徴とする放送受信システム。
【請求項２】
前記受像機は、更に、
前記受付手段が受け付けた指示で指定されたチャンネルでのデジタル放送を受信し、装着されている前記記録媒体に記録された情報を用いて、受信したデジタル放送の視聴制限の解除を試行する手段と、
該手段により前記デジタル放送の視聴制限を解除できる場合に、前記チャンネルを前記受像機で視聴制限を解除できるチャンネルとする情報を前記記録手段に記録させる手段と、
前記デジタル放送の視聴制限を解除できない場合に、前記指示で指定されたチャンネルでのデジタル放送の視聴制限解除試行の指示を前記受信装置へ送信する手段とを備え、
前記受信装置は、更に、
前記受像機から受信した前記指示に従って、前記チャンネルでのデジタル放送を受信し、装着されている前記記録媒体に記録された情報を用いて、受信したデジタル放送の視聴制限の解除を試行する手段と、
該手段による試行結果を示す情報を前記受像機へ送信する手段とを備え、
前記受像機は、更に、
前記受信装置から受信した情報が示す試行結果が、前記デジタル放送の視聴制限を解除できた結果である場合に、前記チャンネルを前記受信装置で視聴制限を解除できるチャンネルとする情報を前記記録手段に記録させる手段を備えること
を特徴とする請求項１に記載の放送受信システム。
【請求項３】
前記受像機は、更に、
電子番組表を表示し、該電子番組表中のチャンネルの表示に対応付けて、前記記録手段が記録する情報が示す当該チャンネルでのデジタル放送の視聴制限を解除できる機器を示す情報を表示する手段を備えること
を特徴とする請求項１又は２に記載の放送受信システム。
【請求項４】
夫々にデジタル放送の受信が可能な受像機及び受信装置を含み、
前記受像機及び前記受信装置は、デジタル放送に施された視聴制限を解除するための情報を予め定められたチャンネルについて記録した記録媒体を夫々に装着される放送受信システムにおいて、
前記受像機は、
デジタル放送のチャンネルを指定する指示を受け付ける受付手段と、
装着されている前記記録媒体に記録された情報を用いて、前記受付手段が受け付けた指示で指定されたチャンネルでのデジタル放送の視聴制限の解除を試行する手段と、
該手段により前記デジタル放送の視聴制限を解除できない場合に、前記チャンネルでのデジタル放送の受信の指示を前記受信装置へ送信する手段とを備え、
前記受信装置は、
前記受像機から受信した前記指示に従って、前記チャンネルでのデジタル放送を受信する手段と、
装着されている前記記録媒体に記録された情報を用いて、受信したデジタル放送の視聴制限の解除を試行する手段と、
該手段により前記デジタル放送の視聴制限を解除できる場合に、視聴制限を解除した前記デジタル放送のデータを前記受像機へ送信する手段とを備え、
前記受像機は、更に、
前記受信装置から受信した前記データに基づいた映像を出力する手段を備えること
を特徴とする放送受信システム。
【請求項５】
前記受像機と前記受信装置とは、ＨＤＭＩ（High Definition Multimedia Interface）によって互いに接続されていることを特徴とする請求項１乃至４のいずれか一つに記載の放送受信システム。
【請求項６】
デジタル放送の受信が可能であり、デジタル放送に施された視聴制限を解除するための情報を予め定められたチャンネルについて記録した記録媒体を装着される受像機において、
装着されている前記記録媒体に記録された情報を用いて視聴制限を解除できるチャンネル、及び所定の外部の受信装置で視聴制限を解除できるチャンネルを示す情報を記録する記録手段と、
受信すべきデジタル放送のチャンネルを指定する指示を受け付ける受付手段と、
該受付手段が受け付けた指示が指定するチャンネルが自身又は所定の外部の受信装置で視聴制限を解除できるチャンネルであるかを、前記記録手段で記録した情報に基づいて判定する手段と、
前記指示が指定するチャンネルが自身で視聴制限を解除できるチャンネルである場合に、前記指示が指定するチャンネルでのデジタル放送を受信する手段と、
前記指示が指定するチャンネルが所定の外部の受信装置で視聴制限を解除できるチャンネルである場合に、前記指示が指定するチャンネルでのデジタル放送の受信の指示を前記受信装置へ送信する手段と
を備えることを特徴とする受像機。
【発明の詳細な説明】
【技術分野】
【０００１】
本発明は、チューナを備えた受像機に録画装置等の他の受信装置が接続された放送受信システム及び受像機に関する。
【背景技術】
【０００２】
現在、テレビジョン放送として、衛星デジタル放送、地上波デジタル放送、又は有線デジタル放送等、テレビジョン用の信号をデジタル変調方式で伝送するデジタル放送が普及している。日本のデジタル放送では、ＣＡＳ（Conditional Access System ）と呼称される限定受信システムが採用されており、契約者以外の視聴を暗号化等によって防止する視聴制限が施されている。デジタル放送に対応した受像機又はチューナ装置等の受信装置では、ＣＡＳに対応した機能を備えており、デジタル放送に施された視聴制限を解除するために必要な情報が記録された専用のＩＣカード（以下、ＣＡＳカードと言う）が装着されることにより、デジタル放送の視聴制限を解除することが可能になる。
【０００３】
ＣＡＳカードには、復号鍵等、視聴制限を解除するために必要な情報がチャンネル毎に記録されており、視聴者が特定チャンネルのデジタル放送を視聴するためには特定チャンネルに対応したＣＡＳカードが必要となる。例えば有料放送の場合は、視聴者が結んだ有料放送の視聴契約に応じてその有料放送の視聴制限を解除するために必要な情報がＣＡＳカードに記録され、視聴者は、そのＣＡＳカードが装着された受信装置でのみその有料放送を視聴することが可能となる。特許文献１には、デジタル放送の受信が可能な受信装置の例が開示されている。特許文献１に開示された受信装置は、複数のＣＡＳカードを装着可能であり、特定チャンネルに対応したＣＡＳカードを追加して装着することにより、通常のチャンネルに加えて特定チャンネルのデジタル放送をも視聴者が視聴できるようになる。
【０００４】
また、デジタル放送を録画することができる録画装置も普及しており、このような録画装置も、ＣＡＳカードが装着されることによってデジタル放送の録画が可能となる。このような録画装置と受像機との間を接続するインタフェースとして、ＨＤＭＩ（High Definition Multimedia Interface）が知られている。ＨＤＭＩはデジタルインタフェースであり、録画装置はＨＤＭＩを通じてデジタルの映像データを受像機へ送信することができる。またＨＤＭＩは、ＣＥＣ（Consumer Electronics Control）と呼称される機器制御機能を有しており、受像機はＣＥＣを用いて電源のオン／オフ等の録画装置の動作制御を行うことができる。
【特許文献１】特開２００５−１６７９９３号公報
【発明の開示】
【発明が解決しようとする課題】
【０００５】
前述のように、受信装置がデジタル放送を受信するためにはＣＡＳカードが装着されている必要があり、特定チャンネルに対応したＣＡＳカードが装着されていない受信装置では、特定チャンネルのデジタル放送を受信することはできない。ＣＡＳカードは個別に情報が記録されているので、受像機及び録画装置からなる放送受信システムでは、受像機に装着されているＣＡＳカードが対応しているチャンネルと録画装置に装着されているＣＡＳカードが対応しているチャンネルとが異なっている場合がある。
【０００６】
例えば、視聴者が有料放送の番組を視聴すべく視聴契約を行っていたとしても、有料放送のチャンネルに対応したＣＡＳカードが録画装置に装着されてあれば、録画装置で有料放送を録画することは可能であるものの、視聴者は受像機で有料放送を視聴することはできない。この場合に受像機で有料放送を視聴するためには、視聴者は、録画装置と受像機との間でＣＡＳカードを手動で入れ替える必要がある。また他の方法としては、視聴者は、受像機に接続されている録画装置が受信した放送を受像機で視聴できるように、受像機を外部入力の状態に手動で設定する必要がある。このように、チャンネルによっては受像機でデジタル放送を視聴するために非常に手間がかかるという問題がある。また、視聴者は、どの機器に装着されたＣＡＳカードを用いればどのチャンネルが視聴できるのかを覚えている必要があるという問題がある。特許文献１には、この問題を解決するための技術は何ら開示されていない。
【０００７】
本発明は、斯かる事情に鑑みてなされたものであって、その目的とするところは、受像機に接続された他の受信装置でしか受信できないチャンネルのデジタル放送であっても、受像機で手軽に視聴することができる放送受信システム及び受像機を提供することにある。
【課題を解決するための手段】
【０００８】
本発明に係る放送受信システムは、夫々にデジタル放送の受信が可能な受像機及び受信装置を含み、前記受像機及び前記受信装置は、デジタル放送に施された視聴制限を解除するための情報を予め定められたチャンネルについて記録した記録媒体を夫々に装着される放送受信システムにおいて、前記受像機は、装着されている前記記録媒体に記録された情報を用いて視聴制限を解除できるチャンネル、及び前記受信装置に装着されている前記記録媒体に記録された情報を用いて前記受信装置が視聴制限を解除できるチャンネルを示す情報を記録する記録手段と、受信すべきデジタル放送のチャンネルを指定する指示を受け付ける受付手段と、該受付手段が受け付けた指示で指定されたチャンネルが前記受像機又は前記受信装置で視聴制限を解除できるチャンネルであるかを、前記記録手段で記録した情報に基づいて判定する手段と、前記指示で指定されたチャンネルが前記受像機で視聴制限を解除できるチャンネルである場合に、前記指示で指定されたチャンネルでのデジタル放送を受信する手段と、前記指示で指定されたチャンネルが前記受信装置で視聴制限を解除できるチャンネルである場合に、前記指示で指定されたチャンネルでのデジタル放送の受信の指示を前記受信装置へ送信する手段とを備え、前記受信装置は、前記受像機から受信した前記指示に従って、前記チャンネルでのデジタル放送を受信する手段と、装着されている前記記録媒体に記録された情報を用いて、受信したデジタル放送の視聴制限を解除する手段と、視聴制限を解除した前記デジタル放送のデータを前記受像機へ送信する手段とを備え、前記受像機は、更に、前記受信装置から受信した前記データに基づいた映像を出力する手段を備えることを特徴とする。
【０００９】
本発明に係る放送受信システムは、前記受像機は、更に、前記受付手段が受け付けた指示で指定されたチャンネルでのデジタル放送を受信し、装着されている前記記録媒体に記録された情報を用いて、受信したデジタル放送の視聴制限の解除を試行する手段と、該手段により前記デジタル放送の視聴制限を解除できる場合に、前記チャンネルを前記受像機で視聴制限を解除できるチャンネルとする情報を前記記録手段に記録させる手段と、前記デジタル放送の視聴制限を解除できない場合に、前記指示で指定されたチャンネルでのデジタル放送の視聴制限解除試行の指示を前記受信装置へ送信する手段とを備え、前記受信装置は、更に、前記受像機から受信した前記指示に従って、前記チャンネルでのデジタル放送を受信し、装着されている前記記録媒体に記録された情報を用いて、受信したデジタル放送の視聴制限の解除を試行する手段と、該手段による試行結果を示す情報を前記受像機へ送信する手段とを備え、前記受像機は、更に、前記受信装置から受信した情報が示す試行結果が、前記デジタル放送の視聴制限を解除できた結果である場合に、前記チャンネルを前記受信装置で視聴制限を解除できるチャンネルとする情報を前記記録手段に記録させる手段を備えることを特徴とする。
【００１０】
本発明に係る放送受信システムは、前記受像機は、更に、電子番組表を表示し、該電子番組表中のチャンネルの表示に対応付けて、前記記録手段が記録する情報が示す当該チャンネルでのデジタル放送の視聴制限を解除できる機器を示す情報を表示する手段を備えることを特徴とする。
【００１１】
本発明に係る放送受信システムは、夫々にデジタル放送の受信が可能な受像機及び受信装置を含み、前記受像機及び前記受信装置は、デジタル放送に施された視聴制限を解除するための情報を予め定められたチャンネルについて記録した記録媒体を夫々に装着される放送受信システムにおいて、前記受像機は、デジタル放送のチャンネルを指定する指示を受け付ける受付手段と、装着されている前記記録媒体に記録された情報を用いて、前記受付手段が受け付けた指示で指定されたチャンネルでのデジタル放送の視聴制限の解除を試行する手段と、該手段により前記デジタル放送の視聴制限を解除できない場合に、前記チャンネルでのデジタル放送の受信の指示を前記受信装置へ送信する手段とを備え、前記受信装置は、前記受像機から受信した前記指示に従って、前記チャンネルでのデジタル放送を受信する手段と、装着されている前記記録媒体に記録された情報を用いて、受信したデジタル放送の視聴制限の解除を試行する手段と、該手段により前記デジタル放送の視聴制限を解除できる場合に、視聴制限を解除した前記デジタル放送のデータを前記受像機へ送信する手段とを備え、前記受像機は、更に、前記受信装置から受信した前記データに基づいた映像を出力する手段を備えることを特徴とする。
【００１２】
本発明に係る放送受信システムは、前記受像機と前記受信装置とは、ＨＤＭＩ（High Definition Multimedia Interface）によって互いに接続されていることを特徴とする。
【００１３】
本発明に係る受像機は、デジタル放送の受信が可能であり、デジタル放送に施された視聴制限を解除するための情報を予め定められたチャンネルについて記録した記録媒体を装着される受像機において、装着されている前記記録媒体に記録された情報を用いて視聴制限を解除できるチャンネル、及び所定の外部の受信装置で視聴制限を解除できるチャンネルを示す情報を記録する記録手段と、受信すべきデジタル放送のチャンネルを指定する指示を受け付ける受付手段と、該受付手段が受け付けた指示が指定するチャンネルが自身又は所定の外部の受信装置で視聴制限を解除できるチャンネルであるかを、前記記録手段で記録した情報に基づいて判定する手段と、前記指示が指定するチャンネルが自身で視聴制限を解除できるチャンネルである場合に、前記指示が指定するチャンネルでのデジタル放送を受信する手段と、前記指示が指定するチャンネルが所定の外部の受信装置で視聴制限を解除できるチャンネルである場合に、前記指示が指定するチャンネルでのデジタル放送の受信の指示を前記受信装置へ送信する手段とを備えることを特徴とする。
【００１４】
本発明においては、受像機に受信装置が接続されたデジタル放送の放送受信システムで、受像機は、各機器で視聴制限を解除できるチャンネルを示す情報を記録しておき、視聴者からチャンネルが指定された際に、受像機又は受信装置でデジタル放送の視聴制限を解除できるチャンネルであるかを判定し、受像機で視聴制限を解除できるチャンネルの場合は、そのチャンネルのデジタル放送を受信し、受信装置で視聴制限を解除できるチャンネルの場合は、自動的に外部入力の状態となり、受信装置にそのチャンネルを選局させる。これにより、特定チャンネルのデジタル放送を視聴者が視聴しようとする際には、特定チャンネルに対応するＣＡＳカードが受像機ではなく受信装置に装着されている場合であっても、自動で特定チャンネルの視聴が可能となる。
【００１５】
また本発明においては、受像機又は受信装置で視聴者から指定されたチャンネルでのデジタル放送の視聴制限の解除を試行し、受像機又は受信装置のいずれかの機器で視聴制限を解除することができた場合に、受像機は、指定されたチャンネルが視聴制限を解除できた機器で視聴制限を解除できるチャンネルとする情報を記録する。これにより、指定されたチャンネルが受像機又は受信装置のいずれの機器で視聴制限を解除できるチャンネルであるかが不明である場合でも、いずれの機器で視聴制限を解除できるのかを特定することができる。
【００１６】
また本発明においては、受像機は、電子番組表中に、受像機及び受信装置の内で各チャンネルでのデジタル放送の視聴制限を解除できる機器を示す情報を各チャンネルに対応付けて表示する。
【００１７】
本発明においては、視聴者からチャンネルが指定される都度、指定されたチャンネルでのデジタル放送の視聴制限を解除する試行を行い、視聴制限を解除することができる機器でデジタル放送を受信し、視聴を可能にする処理を行う。
【００１８】
また本発明においては、ＨＤＭＩを用いて受像機と受信装置とを接続しており、デジタル放送の視聴制限を解除した映像データ及び制御信号を送受信する。
【発明の効果】
【００１９】
本発明にあっては、受像機及び受信装置のいずれかに特定チャンネルに対応したＣＡＳカードが装着されてあれば、視聴者は、ＣＡＳカードを手動で入れ替えるか又は受像機を外部入力の状態に手動で設定する等の手間をかけることなく、特定チャンネルを指定する操作を行うだけで手軽に特定チャンネルでのデジタル放送の視聴が可能となる。また視聴者は、チャンネルとＣＡＳカードとの対応を意識することなく、手軽にチャンネルを指定してデジタル放送を視聴することができる。
【００２０】
また本発明にあっては、チャンネルに係る情報が設定されていない場合、又は情報が不十分な場合であっても、自動で特定チャンネルの視聴が可能となり、視聴者は、特定チャンネルを指定する操作を行うだけで特定チャンネルでのデジタル放送の視聴が可能となる。また受像機が自動でチャンネルに係る情報を記録するので、視聴者が手動で情報を設定する手間を省くこともできる。
【００２１】
また本発明にあっては、電子番組表に各チャンネルでのデジタル放送の視聴制限を解除できる装置を表示することにより、各チャンネルを視聴できることが明らかに示される。
【００２２】
また本発明にあっては、デジタル放送の視聴制限を解除した映像データを送受信することが可能となると共に、受信装置の動作を受像機で統一的に制御することが可能となるので、視聴者は受像機を操作するだけで必要な処理が実行され、視聴者が手軽にデジタル放送を視聴することが可能となる等、本発明は優れた効果を奏する。
【発明を実施するための最良の形態】
【００２３】
以下本発明をその実施の形態を示す図面に基づき具体的に説明する。
図１は、本発明の放送受信システムの外観を示す概念図である。本発明の放送受信システムは、デジタル放送の受信が可能な本発明の受像機１と、受像機１に接続された受信装置２とを含んでなる。受信装置２は、受像機１とは独立にデジタル放送の受信・録画が可能な録画装置である。受像機１は、視聴者が操作するリモコン（リモートコントローラ）３を用いて視聴者からの指示を受け付ける構成となっている。なお、本発明における受信装置は、録画装置に限るものではなく、外付けのチューナ装置、又はセットトップボックス等であっても良い。
【００２４】
図２は、本発明の放送受信システムの一部を構成する本発明の受像機１の内部構成を示すブロック図である。本発明の受像機１は、演算を行う演算部、演算に伴う情報を記憶するＲＡＭ、演算に必要なプログラムを記憶するＲＯＭ等からなり、受像機１に必要な演算処理を行い、受像機１の各部の動作を制御する制御処理部１１を備えている。また制御処理部１１は、視聴者が操作するリモコン３から送信された信号を受信するリモコン受信部（受付手段）１２が接続されている。制御処理部１１は、リモコン受信部１２が受信した信号のコード処理を行い、視聴者からの各種の指示を受け付ける。また制御処理部１１には、映像を表示する液晶ディスプレイパネル又はプラズマディスプレイパネル等の表示部１３１と、音声を出力するスピーカ又は音声出力端子等の音声出力部１３２とが接続されている。
【００２５】
また制御処理部１１には、デジタル放送の視聴制限を解除するための情報が記録されたＣＡＳカード（記録媒体）Ｃ１が装着されるＣＡＳカード装着部１４と、デジタル放送を受信するチューナ１５とが接続されている。制御処理部１１は、チューナ１５が受信するデジタル放送を選局する処理を行う。チューナ１５は、図示しないアンテナ線に接続されており、選局されたチャンネルでデジタル放送の放送信号を受信し、受信した放送信号を復調した放送ストリームを制御処理部１１へ入力する。制御処理部１１は、ＣＡＳカード装着部１４に装着されたＣＡＳカードＣ１が記録する情報を参照しながら、チューナ１５からの放送ストリームの処理を実行する。このとき、制御処理部１１は、選局したチャンネルにＣＡＳカードＣ１が対応している場合は、ＣＡＳカードＣ１が記録する情報を用いて、放送ストリームに施された暗号化等の視聴制限を解除する処理を行う。例えば、制御処理部１１は、ＣＡＳカードＣ１が記録する復号鍵を用いて、暗号化された放送ストリームを復号する処理を行う。制御処理部１１は、放送ストリームに施された視聴制限を解除することによって、放送ストリームから映像データ及び音声データを再生し、再生した映像データに基づいて表示部１３１に映像を表示させ、再生した音声データに基づいて音声出力部１３２に音声を出力させる処理を行う。また選局したチャンネルにＣＡＳカードＣ１が対応していない場合は、制御処理部１１は、放送ストリームに施された視聴制限を解除することができない。
【００２６】
またチューナ１５は、電子番組表（ＥＰＧ）の放送信号を受信し、ＥＰＧの内容を表すＥＰＧデータに復調し、ＥＰＧデータを制御処理部１１に入力する。制御処理部１１は、ＥＰＧデータに基づいて、表示部１３１にＥＰＧを表示させる。
【００２７】
また制御処理部１１には、ＨＤＭＩの規格に従って構成されたインタフェース部１７２が接続されている。制御処理部１１は、インタフェース部１７２に接続された外部の装置との間でＨＤＭＩの規格に従って情報の送受信を行う処理を実行する。また制御処理部１１及びインタフェース部１７２には、ＨＤＭＩの信号に含まれるＣＥＣの制御信号を処理する制御信号処理部１７１が接続されている。制御処理部１１は、ＣＥＣを用いて外部の装置の動作を制御するための論理演算を実行し、外部の装置を制御するための特定の制御信号を制御信号処理部１７１にインタフェース部１７２を介して外部の装置へ送信させる。本発明の放送受信システムでは、インタフェース部１７２には、信号線を介して受信装置２が接続されている。制御処理部１１は、インタフェース部１７２を介して、映像データを含むＨＤＭＩの規格に従った各種の情報を受信装置２との間で送受信し、ＣＥＣの制御信号を送信することによって受信装置２の動作を制御する。なお、インタフェース部１７２は通常は複数の端子を有し、複数の外部の装置が接続可能となっている。
【００２８】
更に制御処理部１１には、メモリ（記録手段）１６が接続されている。メモリ１６は、各チャンネルでのデジタル放送に受像機１又は受信装置２のいずれの装置が対応しているかを示すチャンネル情報を記録している。なお、以上の受像機１内部の各構成部分は、個別に受像機１内に設けられているものに限るものではなく、複数の構成部分が一の部品に集積された上で設けられているものであってもよい。
【００２９】
図３は、本発明の放送受信システムの一部を構成する受信装置２の内部構成を示すブロック図である。受信装置２は、演算を行う演算部、演算に伴う情報を記憶するＲＡＭ、演算に必要なプログラムを記憶するＲＯＭ等からなり、受信装置２に必要な演算処理を行い、受信装置２の各部の動作を制御する制御処理部２１を備えている。また制御処理部２１は、視聴者が操作するリモコンからの信号を受信する受信部又は視聴者が直接に操作する操作部等の、視聴者からの指示が入力される入力部２２が接続されている。制御処理部２１は、入力部２２を用いて、視聴者からの各種の指示を受け付ける。また制御処理部２１には、データを記録するハードディスクが格納されたハードディスクドライブであるＨＤ部２３１と、光ディスク等の可搬型の記録媒体に対してデータの読み書きを行うドライブ部２３２とが接続されている。
【００３０】
また制御処理部２１には、ＣＡＳカードＣ２が装着されるＣＡＳカード装着部２４と、デジタル放送を受信するチューナ２５とが接続されている。制御処理部２１は、チューナ２５が受信するデジタル放送を選局する処理を行い、チューナ２５は選局されたチャンネルでデジタル放送の放送信号を受信し、受信した放送信号を復調した放送ストリームを制御処理部２１へ入力する。制御処理部２１は、ＣＡＳカード装着部２４に装着されたＣＡＳカードＣ２が記録する情報を参照しながら、チューナ２５からの放送ストリームの処理を実行する。このとき、制御処理部２１は、選局したチャンネルにＣＡＳカードＣ２が対応している場合は、ＣＡＳカードＣ２が記録する情報を用いて、放送ストリームに施された視聴制限を解除する処理を行う。制御処理部２１は、放送ストリームに施された視聴制限を解除することによって、放送ストリームから映像データ及び音声データを再生し、再生した映像データ及び音声データをＨＤ部２３１又はドライブ部２３２に記録させる。
【００３１】
また制御処理部２１には、ＨＤＭＩの規格に従って構成されたインタフェース部２７２が接続されており、制御処理部２１及びインタフェース部２７２には、ＣＥＣの制御信号を処理する制御信号処理部２７１が接続されている。本発明の放送受信システムでは、インタフェース部２７２には、信号線を介して受像機１が接続されている。制御処理部２１は、インタフェース部２７２を介して、映像データを含む各種の情報を受像機１との間で送受信し、またＣＥＣの制御信号を受信し、受信した制御信号に従った動作を行う。例えば、制御処理部２１は、インタフェース部２７２を介して、チューナ２５からの放送ストリームの視聴制限を解除した映像データ及び音声データ、又はＨＤ部２３１若しくはドライブ部２３２で読み出した映像データ及び音声データを受像機１へ送信することができる。また例えば、制御処理部２１は、受像機１からの制御信号に従って、受信装置２の電源のオン／オフを制御する。
【００３２】
図１には、受像機１に一台の受信装置２が接続されている状態を示しているが、受像機１には、受信装置２を含む複数の受信装置がインタフェース部１７２を介して接続されていてもよい。受像機１は、複数の受信装置が接続されている場合は、各受信装置を、インタフェース部１７２の複数の端子の内でいずれの端子に接続されているかに基づいて区別する。また複数の受信装置が受像機１に接続されている場合は、複数の受信装置が全て録画装置である必要はなく、いずれかの受信装置がチューナ装置又はセットトップボックス等であっても良い。
【００３３】
図４は、メモリ１６が記録するチャンネル情報の内容を示す概念図である。チャンネル情報では、デジタル放送の各チャンネルとリモコンキーの番号とそのチャンネルでのデジタル放送の視聴制限を解除できる機器である対応機器とが関連付けられている。デジタル放送のチャンネルを特定する情報として、放送局名、チャンネル番号、及び放送波の周波数がチャンネル番号に含まれている。対応機器を示す情報の内、自機は受像機１自身を示し、ＨＤＭＩ１は、受信装置２等の、インタフェース部１７２の１番目のＨＤＭＩ端子に接続された受信装置を示す。またＨＤＭＩ２は、インタフェース部１７２の２番目のＨＤＭＩ端子に接続された受信装置を示す。例えば、リモコンキーの５番に割り当てられた○△放送のチャンネルには、受像機１が対応しており、リモコンキーの６番に割り当てられた×△テレビのチャンネルには、１番目のＨＤＭＩ端子に接続された受信装置が対応していることが示されている。
【００３４】
図５は、チャンネル情報の内容を設定するための設定画面例を示す模式図である。受像機１の制御処理部１１は、視聴者が操作するリモコン３からの信号をリモコン受信部１２で受信することにより、チャンネル情報の設定指示を受け付け、図５に示す如き設定画面を表示部１３１に表示させる。設定画面では、リモコンキーの番号に対応して、チャンネル及び対応機器を入力するための入力枠が表示されている。設定画面上では、視聴者がリモコン３を操作することによりカーソルを移動させ、いずれかの入力枠にカーソルを合わせて、特定の項目を指定することができる。例えば、チャンネルの入力枠にカーソルを合わせると、○○放送，○×放送，…等の複数チャンネルの選択肢が表示され、いずれかのチャンネルを指定することでチャンネルが入力される。対応機器についても同様に入力することができる。制御処理部１１は、設定画面で入力されたリモコンキーの番号とチャンネルと対応機器とを互いに関連付けたチャンネル情報を生成し、メモリ１６に記録させる。なお、チャンネルは、放送局名ではなく、チャンネル番号又は周波数で特定するようにしてもよい。これにより、チャンネルと対応機器とが関連付けられたチャンネル情報がメモリ１６に記録される。
【００３５】
次に、本発明の放送受信システムの動作を説明する。図６、図７、図８及び図９は、本発明の放送受信システムがチャンネルの選局を行う処理の手順を示すフローチャートである。受像機１が動作している間、制御処理部１１は、視聴者がリモコン３に所定の操作を行うことによる、選局のためのＥＰＧの表示指示の受付を待ち受けている（Ｓ１０１）。視聴者が所定の操作を行ったリモコン３からの信号をリモコン受信部１２で受信することによる、ＥＰＧの表示指示を受け付けた場合は（Ｓ１０１：ＹＥＳ）、制御処理部１１は、チューナ１５が受信して復調したＥＰＧデータが表すＥＰＧ中の各チャンネルの表示に、メモリ１６が記録するチャンネル情報中で当該チャンネルに関連付けられている対応機器を示す表示を関連付けて、表示部１３１にＥＰＧを表示させる（Ｓ１０２）。
【００３６】
図１０は、受像機１が表示するＥＰＧの表示画面例を示す模式図である。ＥＰＧの表示画面では、各チャンネルに対応付けて、各時刻に放送されている番組を表す番組表が表示されている。本発明に係るＥＰＧでは、「テレビ」又は「ＨＤＭＩ１接続」等の文字表示により、各チャンネルに関連付けてチャンネルに対応する対応機器が表示される。このうち「テレビ」の表示は、受像機１自身を示し、「ＨＤＭＩ１接続」は１番目のＨＤＭＩ端子に接続された受信装置を示す。各チャンネルに対応する対応機器がＥＰＧ中に含まれて表示されるので、視聴者は、ＥＰＧを受像機１に表示させることによって各チャンネルに対応した機器を確認することができる。
【００３７】
次に、制御処理部１１は、ＥＰＧを目で確認した視聴者がリモコン受信部１２に所定の操作を行い、ＥＰＧ上でいずれかのチャンネルを指定することによる、受像すべきチャンネルを指定する指示の受付を待ち受ける（Ｓ１０３）。チャンネルを指定する指示の受付がない場合は（Ｓ１０３：ＮＯ）、制御処理部１１は、チャンネルを指定する指示の受付を続行する。またステップＳ１０１でＥＰＧの表示指示の受付がない場合は（Ｓ１０１：ＮＯ）、制御処理部１１は、視聴者がリモコン受信部１２に所定の操作を行うことによる、受像すべきチャンネルを指定する指示の受付を待ち受ける（Ｓ１０４）。このとき、視聴者は、チャンネルに対応したリモコンキーを押下するか、リモコン３のチャンネルアップダウンボタンを操作するか、又はリモコン３の数字入力ボタンの操作によってチャンネル番号を指定する等の方法により、チャンネルの指定を行う。リモコンキーを使用する場合は、視聴者が押下したリモコンキーの番号にチャンネル情報内で関連付けられたチャンネルが指定される。
【００３８】
リモコン３からの信号をリモコン受信部１２で受信することにより、ステップＳ１０３でチャンネルを指定する指示を受け付けた場合（Ｓ１０３：ＹＥＳ）、又はステップＳ１０４でチャンネルを指定する指示を受け付けた場合（Ｓ１０４：ＹＥＳ）は、制御処理部１１は、受け付けた指示で指定されたチャンネルを示す情報が、メモリ１６が記録するチャンネル情報に含まれているか否かを判定する（Ｓ１０５）。指定されたチャンネルを示す情報がチャンネル情報に含まれている場合は（Ｓ１０５：ＹＥＳ）、制御処理部１１は、チャンネル情報で、指定されたチャンネルでのデジタル放送の視聴制限を解除できる機器である対応機器として受像機１が対応しているか否かを判定する（Ｓ１０６）。指定されたチャンネルに受像機１が対応している場合は（Ｓ１０６：ＹＥＳ）、制御処理部１１は、チューナ１５が受信すべきデジタル放送のチャンネルとして、指定されたチャンネルを選局し、選局したチャンネルでチューナ１５にデジタル放送の受信を開始させ（Ｓ１０７）、選局の処理を終了する。
【００３９】
チューナ１５がデジタル放送の受信を開始した後は、チューナ１５は、選局されたチャンネルでデジタル放送の放送信号を受信し、受信した放送信号を復調した放送ストリームを制御処理部１１へ入力する。制御処理部１１は、ＣＡＳカード装着部１４に装着されたＣＡＳカードＣ１が記録する情報に基づいて、放送ストリームに施された視聴制限を解除し、放送ストリームから映像データ及び音声データを再生する。制御処理部１１は、更に、再生した映像データに基づいて表示部１３１に映像を表示させ、再生した音声データに基づいて音声出力部１３２に音声を出力させる処理を行う。更にチャンネルを変更しようとする場合は、制御処理部１１は、ステップＳ１０１から選局の処理を繰り返す。
【００４０】
ステップＳ１０６で、指定されたチャンネルに、インタフェース部１７２に接続された受信装置２が対応している場合は（Ｓ１０６：ＮＯ）、制御処理部１１は、指定されたチャンネルに対応する受信装置を選択する（Ｓ１０８）。制御処理部１１は、次に、選択した受信装置２が既に起動しているか否かを判定する（Ｓ１０９）。このとき、制御処理部１１は、インタフェース部１７２を介して所定の信号を受信装置２へ送信するか、又は受信装置２が起動しているか否かを示す情報を予め記憶しておいてその情報を読み出す等の方法で、判定を行う。
【００４１】
指定されたチャンネルに対応する受信装置２がまだ起動していない場合は（Ｓ１０９：ＮＯ）、制御処理部１１は、制御信号処理部１７１に、インタフェース部１７２を介して受信装置２へ起動指示を送信させる（Ｓ１１０）。受信装置２は、インタフェース部２７２で起動指示を受信し（Ｓ１１１）、制御処理部２１は、受信した起動指示に従って、受信装置２を起動させる処理を実行する（Ｓ１１２）。制御処理部２１は、次に、受信装置２の起動が完了したことを示す起動完了通知を、インタフェース部２７２から受像機１へ送信する（Ｓ１１３）。受像機１は、受信装置２からの起動完了通知をインタフェース部１７２で受信する（Ｓ１１４）。
【００４２】
ステップＳ１０９で受信装置２が既に起動している場合（Ｓ１０９：ＹＥＳ）、又はステップＳ１１４が終了した場合は、制御処理部１１は、指定されたチャンネルを選局することを指示する選局指示を、インタフェース部１７２から受信装置２へ送信する（Ｓ１１５）。この際、制御処理部１１は、インタフェース部１７２に接続された受信装置２から映像データ及び音声データを入力される外部入力の状態に受像機１を設定する。受信装置２は、インタフェース部２７２で選局指示を受信し（Ｓ１１６）、制御処理部２１は、チューナ２５が受信すべきデジタル放送のチャンネルとして、指定されたチャンネルを選局し、選局したチャンネルでチューナ２５にデジタル放送の受信を開始させ（Ｓ１１７）、選局の処理を終了する。
【００４３】
チューナ２５がデジタル放送の受信を開始した後は、チューナ２５は、選局されたチャンネルでデジタル放送の放送信号を受信し、受信した放送信号を復調した放送ストリームを制御処理部２１へ入力する。制御処理部２１は、ＣＡＳカード装着部２４に装着されたＣＡＳカードＣ２が記録する情報に基づいて、放送ストリームに施された視聴制限を解除し、放送ストリームから映像データ及び音声データを再生する。更に制御処理部２１は、再生した映像データ及び音声データをインタフェース部２７２から受像機１へ送信する。受像機１は、受信装置２からの映像データ及び音声データをインタフェース部１７２で受信し、制御処理部１１は、受信した映像データに基づいて表示部１３１に映像を表示させ、受信した音声データに基づいて音声出力部１３２に音声を出力させる処理を行う。更にチャンネルを変更しようとする場合は、制御処理部１１は、ステップＳ１０１から選局の処理を繰り返す。
【００４４】
以上のように、本発明の受像機１は、視聴者が視聴しているデジタル放送のチャンネルを切り替える際に、受像機１で視聴制限を解除できるチャンネルの場合は、そのチャンネルを選局し、受像機１では視聴制限を解除できず受信装置２で視聴制限を解除できるチャンネルの場合は、自動的に外部入力の状態となり、受信装置２にそのチャンネルを選局させる。受像機１は、チャンネルとそのチャンネルでのデジタル放送の視聴制限を解除できる対応機器とを関連付けたチャンネル情報に基づいてチャンネルの判定を行う。このチャンネル情報は、視聴者の操作によって手動で設定される。
【００４５】
従って、特定チャンネルのデジタル放送を視聴者が視聴しようとする際には、特定チャンネルに対応するＣＡＳカードが受像機１ではなく受信装置２に装着されている場合であっても、ＣＡＳカードを手動で入れ替えるか又は受像機１を外部入力の状態に手動で設定する等の手間を視聴者に必要とさせることなく、自動で特定チャンネルの視聴が可能となる。例えば、有料放送のチャンネルに対応したＣＡＳカードが受信装置２に装着されてあったとしても、視聴者が有料放送のチャンネルを指定することにより、自動的に有料放送のチャンネルの視聴が可能となる。即ち、本発明においては、受像機１及び受信装置２のいずれかに特定チャンネルに対応したＣＡＳカードが装着されてあれば、視聴者は、特定チャンネルを指定する操作を行うだけで特定チャンネルでのデジタル放送の視聴が可能となる。また受像機１は、各チャンネルに対する対応機器の判定を、メモリ１６で記録するチャンネル情報に基づいて行うので、視聴者は、チャンネルとＣＡＳカード又は対応機器との対応を意識することなくチャンネルを指定することができる。また、チャンネル情報が設定されていない場合、又はチャンネル情報が不十分な場合であっても、本発明の放送受信システムは、以下の処理により選局を実行する。
【００４６】
ステップＳ１０５で、受け付けた指示で指定されたチャンネルを示す情報が、メモリ１６が記録するチャンネル情報に含まれていない場合は（Ｓ１０５：ＮＯ）、制御処理部１１は、指定されたチャンネルでチューナ１５にデジタル放送を受信させ、ＣＡＳカード装着部１４に装着されたＣＡＳカードＣ１が記録する情報に基づいて、放送信号からチューナ１５が復調した放送ストリームに施された視聴制限の解除を試行する（Ｓ２０１）。制御処理部１１は、視聴制限の解除の試行結果から、指定されたチャンネルでのデジタル放送の視聴制限を解除することが可能であったか否かを判定する（Ｓ２０２）。視聴制限を解除することが可能であった場合は（Ｓ２０２：ＹＥＳ）、制御処理部１１は、指定されたチャンネルでのデジタル放送の視聴制限を解除できる対応機器として受像機１をチャンネルに関連付けた情報を追加するように、メモリ１６が記録するチャンネル情報を修正する（Ｓ２０３）。制御処理部１１は、次に、チューナ１５が受信すべきデジタル放送のチャンネルとして、指定されたチャンネルを選局し、選局したチャンネルでチューナ１５にデジタル放送の受信を開始させ（Ｓ２０４）、選局の処理を終了する。チューナ１５は、選局されたチャンネルでデジタル放送の放送信号を受信し、制御処理部１１は、ＣＡＳカードＣ１が記録する情報に基づいて、放送ストリームに施された視聴制限を解除し、表示部１３１に映像を表示させ、音声出力部１３２に音声を出力させる処理を行う。
【００４７】
ステップＳ２０２で、視聴制限を解除することが不可能であった場合は（Ｓ２０２：ＮＯ）、制御処理部１１は、インタフェース部１７２に接続されている受信装置の内から一の受信装置２を選択する（Ｓ２０５）。制御処理部１１は、次に、選択した受信装置２が既に起動しているか否かを判定する（Ｓ２０６）。受信装置２がまだ起動していない場合は（Ｓ２０６：ＮＯ）、制御処理部１１は、制御信号処理部１７１に、インタフェース部１７２を介して受信装置２へ起動指示を送信させる（Ｓ２０７）。受信装置２は、インタフェース部２７２で起動指示を受信し（Ｓ２０８）、制御処理部２１は、受信した起動指示に従って、受信装置２を起動させる処理を実行する（Ｓ２０９）。制御処理部２１は、次に、受信装置２の起動が完了したことを示す起動完了通知を、インタフェース部２７２から受像機１へ送信する（Ｓ２１０）。受像機１は、受信装置２からの起動完了通知をインタフェース部１７２で受信する（Ｓ２１１）。
【００４８】
ステップＳ２０６で、選択した受信装置２が既に起動している場合（Ｓ２０６：ＹＥＳ）、又はステップＳ２１１が終了した場合は、制御処理部１１は、指定されたチャンネルでのデジタル放送の視聴制限解除の試行指示を、インタフェース部１７２から受信装置２へ送信する（Ｓ２１２）。受信装置２は、インタフェース部２７２で試行指示を受信し（Ｓ２１３）、制御処理部２１は、指定されたチャンネルでチューナ２５にデジタル放送を受信させ、ＣＡＳカード装着部２４に装着されたＣＡＳカードＣ２が記録する情報に基づいて、放送信号からチューナ２５が復調した放送ストリームに施された視聴制限の解除を試行する（Ｓ２１４）。制御処理部２１は、次に、視聴制限解除の試行結果をインタフェース部２７２から受像機１へ送信する（Ｓ２１５）。
【００４９】
受像機１は、受信装置２からの試行結果をインタフェース部１７２で受信し（Ｓ２１６）、制御処理部１１は、視聴制限解除の試行結果から、指定されたチャンネルでのデジタル放送の視聴制限を受信装置２で解除することが可能であったか否かを判定する（Ｓ２１７）。視聴制限を受信装置２で解除することが可能であった場合は（Ｓ２１７：ＹＥＳ）、制御処理部１１は、指定されたチャンネルでのデジタル放送の視聴制限を解除できる対応機器として受信装置２をチャンネルに関連付けた情報を追加するように、メモリ１６が記録するチャンネル情報を修正する（Ｓ２１８）。制御処理部１１は、指定されたチャンネルを選局することを指示する選局指示を、インタフェース部１７２から受信装置２へ送信する（Ｓ２１９）。
【００５０】
受信装置２は、インタフェース部２７２で選局指示を受信し（Ｓ２２０）、制御処理部２１は、チューナ２５が受信すべきデジタル放送のチャンネルとして、指定されたチャンネルを選局し、選局したチャンネルでチューナ２５にデジタル放送の受信を開始させ（Ｓ２２１）、選局の処理を終了する。チューナ２５は、選局されたチャンネルでデジタル放送の放送信号を受信し、制御処理部２１は、ＣＡＳカードＣ２が記録する情報に基づいて、放送ストリームに施された視聴制限を解除し、放送ストリームから再生した映像データ及び音声データをインタフェース部２７２から受像機１へ送信する。制御処理部１１は、受信装置２から受信した映像データに基づいて表示部１３１に映像を表示させ、受信した音声データに基づいて音声出力部１３２に音声を出力させる処理を行う。
【００５１】
ステップＳ２１７で、視聴制限を受信装置２で解除することが不可能であった場合は（Ｓ２１７：ＮＯ）、制御処理部１１は、インタフェース部１７２に接続されている受信装置の内で未選択の受信装置がまだあるか否かを判定する（Ｓ２２２）。未選択の受信装置がまだある場合は（Ｓ２２２：ＹＥＳ）、処理をステップＳ２０５へ戻して未選択の受信装置の内から一の受信装置を選択する。ステップＳ２２２で未選択の受信装置がもうない場合は（Ｓ２２２：ＮＯ）、制御処理部１１は、「指定されたチャンネルは視聴できません」等のエラーメッセージを表示部１３１に表示させることによりエラーを出力し（Ｓ２２３）、選局の処理を終了する。
【００５２】
以上のように、本発明では、指定されたチャンネルに対する対応機器が不明である場合に、受像機１又は受信装置２でそのチャンネルでのデジタル放送の視聴制限の解除を試行し、視聴制限を解除することができた機器を、指定されたチャンネルに対する対応機器として、受像機１はチャンネル情報を記録する。次に同一のチャンネルが指定された場合は、受像機１はチャンネル情報に基づいて対応機器を判定することができる。この処理により、チャンネル情報が設定されていない場合、又はチャンネル情報が不十分な場合であっても、本発明の放送受信システムは、自動で特定チャンネルの視聴が可能となり、視聴者は、特定チャンネルを指定する操作を行うだけで特定チャンネルでのデジタル放送の視聴が可能となる。また本発明では、指定されたチャンネルでの視聴制限の解除を試行することにより、自動でチャンネル情報を修正するので、視聴者が手動でチャンネル情報を設定する手間を省くこともできる。
【００５３】
また本発明では、ＨＤＭＩを用いて受像機１と受信装置２とを接続しているので、デジタル放送の視聴制限を解除した映像データを送受信することが可能となると共に、受信装置２の動作を受像機１で統一的に制御することが可能となる。従って、視聴者はリモコン３を用いて受像機１を操作するだけで必要な処理が実行され、視聴者が手軽にデジタル放送を視聴することが可能となる。なお、受像機１と受信装置２とを接続するインタフェースは、ＨＤＭＩに限るものではなく、双方向の通信インタフェースであれば、本発明を実現することは可能である。
【００５４】
なお、本実施の形態においては、本発明の受像機１はメモリ１６に記録するチャンネル情報に基づいて処理を行う形態を示したが、チャンネル情報を用いずに処理を行う形態であってもよい。この形態の場合は、図６のフローチャートに示すステップＳ１０１〜Ｓ１０４の処理を実行した次に、図８及び図９のフローチャートで示すステップＳ２０１〜Ｓ２２１の処理を実行する。また、この際には、ステップＳ２０３及びＳ２１８の処理は実行しない。即ち、この形態では、チャンネルが指定される都度、指定されたチャンネルでのデジタル放送の視聴制限を解除する試行を行い、視聴制限を解除することができる機器でデジタル放送を受信し、視聴を可能にする処理を自動で行う。この形態においても、受像機１及び受信装置２のいずれかに特定チャンネルに対応したＣＡＳカードが装着されてあれば、視聴者は、特定チャンネルを指定する操作を行うだけで特定チャンネルでのデジタル放送の視聴が可能となる。
【図面の簡単な説明】
【００５５】
【図１】本発明の放送受信システムの外観を示す概念図である。
【図２】本発明の放送受信システムの一部を構成する本発明の受像機の内部構成を示すブロック図である。
【図３】本発明の放送受信システムの一部を構成する受信装置の内部構成を示すブロック図である。
【図４】メモリが記録するチャンネル情報の内容を示す概念図である。
【図５】チャンネル情報の内容を設定するための設定画面例を示す模式図である。
【図６】本発明の放送受信システムがチャンネルの選局を行う処理の手順を示すフローチャートである。
【図７】本発明の放送受信システムがチャンネルの選局を行う処理の手順を示すフローチャートである。
【図８】本発明の放送受信システムがチャンネルの選局を行う処理の手順を示すフローチャートである。
【図９】本発明の放送受信システムがチャンネルの選局を行う処理の手順を示すフローチャートである。
【図１０】受像機が表示するＥＰＧの表示画面例を示す模式図である。
【符号の説明】
【００５６】
１  受像機
１２  リモコン受信部（受付手段）
１４  ＣＡＳカード装着部
１５  チューナ
１６  メモリ（記録手段）
１７２  インタフェース部
２  受信装置
２４  ＣＡＳカード装着部
２５  チューナ
３  リモコン（リモートコントローラ）
Ｃ１、Ｃ２  ＣＡＳカード（記録媒体）
【図１】
2008227630.tif 000003
【図２】
2008227630.tif 000004
【図３】
2008227630.tif 000005
【図４】
2008227630.tif 000006
【図５】
2008227630.tif 000007
【図６】
2008227630.tif 000008
【図７】
2008227630.tif 000009
【図８】
2008227630.tif 000010
【図９】
2008227630.tif 000011
【図１０】
2008227630.tif 000012